(57)【要約】【課題】立体画像を形成するシステムを提供する。【解決手段】システムは、励起された際に、第１の原色の組を含む光を放射するように構成される第１の材料の組と、励起された際に、第２の原色の組を含む更なる光を放射するように構成される第２の材料の組とであって、前記第１の原色の組と前記第２の原色の組は互いに対応し合い、前記第１の原色の組と前記第２の原色の組とにおける所定の原色の波長がそれぞれ異なり、材料の組に励起波長を照射して両方の原色の組が放射されるように構成される１以上の光源と、両方の原色の組による照射のために配置された光変調器であって、第１の原色の組から第１の画像を形成し、第２の原色の組から第２の画像を形成するように構成される光変調器と、を含む。【選択図】図３
2015186258.tif 000002
【特許請求の範囲】
【請求項１】
励起された際に、第１の原色の組を含む光を放射するように構成される第１の材料の組と、
励起された際に、第２の原色の組を含む更なる光を放射するように構成される第２の材料の組であって、前記第１の原色の組と前記第２の原色の組は互いに対応し合い、前記第１の原色の組と前記第２の原色の組とにおける所定の原色の波長がそれぞれ異なる、第２の材料の組と、
前記第１の材料の組と前記第２の材料の組とに励起波長を照射するように構成され、前記第１の原色の組と前記第２の原色の組とが放射されるようにする１以上の光源と、
前記第１の原色の組と前記第２の原色の組とによる照射のために配置された光変調器であって、前記第１の原色の組から第１の画像を形成し、前記第２の原色の組から第２の画像を形成するように構成される光変調器と、を含むシステム。
【請求項２】
請求項１に記載のシステムであって、前記１以上の光源は、前記第１の材料の組に前記励起波長を照射するように構成される第１の光源と、前記第２の材料の組に前記励起波長を照射するように構成される第２の光源とを含み、前記第１の光源は前記第２の光源と異なる、もしくは、前記第１の光源は前記第２の光源を含む、システム。
【請求項３】
請求項２に記載のシステムであって、前記第１の光源と前記第２の光源とを制御して前記第１の材料の組と前記第２の材料の組とを交互に照射するように構成され、かつ前記光変調器を、前記第１の光源と前記第２の光源と同期して、前記第１の原色の組によって照明された時に前記第１の画像を形成し、前記第２の原色の組によって照明された時に前記第２の画像を形成するように構成される計算装置を更に含む、システム。
【請求項４】
請求項１に記載のシステムであって、前記第１の画像は、左目用画像と右目用画像とのうちの一方を含み、前記第２の画像は、前記左目用画像と前記右目用画像とのうちの他方を含む、システム。
【請求項５】
請求項１に記載のシステムであって、
前記第１の原色の組を透過し、前記第２の原色の組を遮断するように構成される第１のレンズと、前記第２の原色の組を透過し、前記第１の原色の組を遮断するように構成される第２のレンズと、を含む１以上の眼鏡を更に含み、
前記第１のレンズは、左目用レンズと右目用レンズとのうちの一方を含み、前記第２のレンズは、前記左目用レンズと前記右目用レンズとのうちの他方を含む、システム。
【請求項６】
請求項５に記載のシステムであって、前記第１のレンズ及び前記第２のレンズの各々は、それぞれの波長をフィルタするように構成されるダイクロイックフィルタをそれぞれ含む、システム。
【請求項７】
請求項１に記載のシステムであって、
前記第１の材料の組は、第１の原色を放射するように構成される第１の材料のサブセットと、第２の原色を放射するように構成される第２の材料のサブセットと、第３の原色を放射するように構成される第３の材料のサブセットとを含み、
前記第２の材料の組は、第１のそれぞれの原色を放射するように構成される第１のそれぞれの材料のサブセットと、第２のそれぞれの原色を放射するように構成される第２のそれぞれの材料のサブセットと、第３のそれぞれの原色を放射するように構成される第３のそれぞれの材料のサブセットとを含む、システム。
【請求項８】
請求項７に記載のシステムであって、前記光変調器は、
前記第１の原色と前記第１のそれぞれの原色とを変調して、前記第１の画像と前記第２の画像のそれぞれの第１のサブ画像を形成するための第１のピクセルのサブセットと、
前記第２の原色と前記第２のそれぞれの原色とを変調して、前記第１の画像と前記第２の画像のそれぞれの第２のサブ画像を形成するための第２のピクセルのサブセットと、
前記第３の原色と前記第３のそれぞれの原色とを変調して、前記第１の画像と前記第２の画像のそれぞれの第３のサブ画像を形成するための第３のピクセルのサブセットとを含む、システム。
【請求項９】
請求項８に記載のシステムであって、前記１以上の光源は、
前記第１の材料のサブセットと前記第２の材料のサブセットとを照射するように構成される１以上の第１の光源と、前記第３の材料のサブセットを照射するように構成される第２の光源と、
前記第１のそれぞれの材料のサブセットと前記第２のそれぞれの材料のサブセットとを照射するように構成される１以上の第３の光源と、前記第３のそれぞれの材料のサブセットを照射するように構成される第４の光源と、を含み、
前記１以上の第１の光源、前記第２の光源、前記１以上の第３の光源、及び前記第４の光源のそれぞれが互いに独立して操作可能である、システム。
【請求項１０】
請求項９に記載のシステムであって、以下を行うよう構成される計算装置を更に含んでおり、前記計算装置は、
前記１以上の光源を、以下を交互に行うよう制御する、
前記１以上の第１の光源を、前記第１の材料のサブセットと前記第２の材料のサブセットとに照射し、かつ、前記第４の光源を、前記第３のそれぞれの材料のサブセットに照射して、前記第１の材料の組から前記第１の原色と前記第２の原色とを発色し、前記第２の材料の組から前記第３のそれぞれの原色を発色すること、及び
前記１以上の第３の光源を、前記第１のそれぞれの材料のサブセットと前記第２のそれぞれの材料のサブセットに照射し、かつ、前記第２の光源を、前記第３の材料のサブセットに照射し、前記第２の材料の組から前記第１のそれぞれの原色と前記第２のそれぞれの原色とを発色し、前記第１の材料の組から前記第３の原色を発色すること、
ならびに、前記計算装置は、
前記光変調器を１以上の光源と同期して、以下を交互に行う、
前記光変調器が、前記第１の材料の組からの前記第１の原色と前記第２の原色、及び前記第２の材料の組からの前記第３のそれぞれの原色によって照明されたとき、前記第１のピクセルのサブセットを変調して前記第１の画像の第１のサブ画像を形成し、前記第２のピクセルのサブセットを変調して前記第１の画像の第２のサブ画像を形成し、前記第３のピクセルのサブセットを変調して前記第２の画像の第３のそれぞれのサブ画像を形成すること、及び
前記光変調器が、前記第２の材料の組からの前記第１のそれぞれの原色と前記第２のそれぞれの原色、及び前記第１の材料の組からの前記第３の原色によって照明されたとき、前記第１のピクセルのサブセットを変調して、前記第２の画像のそれぞれの第１のサブ画像を形成し、前記第２のピクセルのサブセットを変調して前記第２の画像のそれぞれの第２のサブ画像を形成し、前記第３のピクセルのサブセットを変調して、前記第１の画像の第３のサブ画像を形成すること、
システム。
【請求項１１】
請求項１に記載のシステムであって、前記１以上の光源は、前記第１の原色の組と前記第２の原色の組とにおける各色と一対一関係にある複数の光源を含む、システム。
【請求項１２】
請求項１に記載のシステムであって、前記第１の原色の組は、第１の赤と、第１の緑と、第１の青とを含み、前記第２の原色の組は、前記第１の赤とは異なる第２の赤と、前記第１の緑とは異なる第２の緑と、前記第１の青とは異なる第２の青と、を含む、システム。
【請求項１３】
請求項１に記載のシステムであって、前記光変調器は、デジタルマイクロミラーデバイス（ＤＭＤ）を含み、前記システムは、前記ＤＭＤから反射して前記第１の画像と前記第２の画像とを形成するように前記第１の原色の組と前記第２の原色の組とを伝達するように構成される光学系を更に含む、システム。
【請求項１４】
請求項１に記載のシステムであって、前記光変調器は、液晶装置（ＬＣＤ）を含み、前記システムは、前記ＬＣＤを透過して前記第１の画像と前記第２の画像とを形成するように前記第１の原色の組と前記第２の原色の組とを伝達するように構成される光学系を更に含む、システム。
【請求項１５】
請求項１に記載のシステムであって、前記１以上の光源は、発光ダイオード、青色発光ダイオード、レーザー、青色発光レーザー、並びに前記第１の原色及び前記第２の原色のそれぞれの波長よりも短い波長の光を放射する光源のいずれか１つ以上を含む、システム。
【請求項１６】
請求項１に記載のシステムであって、前記第１の材料の組と前記第２の材料の組のそれぞれは、一の波長を吸収して別の波長を放射する１つ以上の波長変換材料、量子ドット、ナノ結晶のいずれか１つ以上を含む、システム。
【発明の詳細な説明】
【技術分野】
【０００１】
本明細書は、概して発光システムに関し、具体的には、立体画像を形成するシステムに関する。
【背景技術】
【０００２】
液晶ディスプレイ（ＬＣＤ）パネルのバックライトは、全ての色から構成される白色を提供する。ＬＣＤはその後これを赤緑青の光（ＲＧＢ光）に分割して変調する。このバックライトは、冷陰極蛍光管（ＣＣＦＬ）であってもよいし、より最近では、発光ダイオード（ＬＥＤ）のアレイであってもよい。ＬＥＤは、短波長の青又は紫外線（ＵＶ）光を逓降変換して広い白色のスペクトルを形成するために、しばしば蛍光体を用いる。
【発明の概要】
【発明が解決しようとする課題】
【０００３】
しかしながら、このような白色光は、例えば白色光を異なる偏光状態の光にするといった白色光の追加の操作を行うことなく３次元画像を形成する際に用いるのは困難でありうる。
【課題を解決するための手段】
【０００４】
概して、本明細書は、３次元（３Ｄ）画像として見られることのできる立体画像を形成するシステムに関する。システムは１以上の光源と、２組以上の材料、これには量子ドットが含まれ得るがこれに限定されない、と、を含み、該１以上の光源は該２組の材料を励起するための光を放射し、該２組の材料はそれぞれ、同様であるが波長の異なる原色の組を放射する、例えば第１の材料の組は赤色光、青色光、緑色光を放射できる一方、第２の材料の組も赤色光、青色光、緑色光を放射できるが、第１の材料の組とは異なる波長である（すなわち、異なる赤色、異なる緑色、異なる青色）。それぞれの材料の組からの原色は、画像変調装置を交互に照射するために用いることができ、これにより、使用者が着用したフィルタによって受像できる左目用画像と右目用画像とを交互に形成できる。左目用フィルタは左目用画像を伝達して右目用画像を遮断し、その一方で右目用フィルタは右目用画像を伝達して左目用画像を遮断する。このようにして３Ｄ画像が形成され、使用者によって知覚される。伝達と遮断は、材料によって放射される原色の各波長に合わせて設定可能なダイクロイックの吸収フィルタ等を用いて行うことができる。ダイクロイックフィルタ（Ｄｉｃｈｒｏｉｃｓ）は、しかしながら、量子ドットの出力が狭い帯域を有する特定の波長に非常に特有であることから特に有用であり、それぞれの原色の組における赤、緑、及び青が、人間の目がほとんど、又は全く、違いを知覚しないほどに互いに近接していても、精密な波長に調整可能なダイクロイックフィルタはそれらを識別できる。
【０００５】
知覚されるフリッカーを改善するために、様々なスキームを用いることができ、例えば第１の量子ドットの組からの２種類の原色と、第２の量子ドットの組からの補原色との組み合わせと、第２の量子ドットの組からの別の２種類の原色と、第１の量子ドットの組からの補原色との組み合わせとを交互に行い、２つの色の組が交互に光変調器を照射でき、ここで各原色に特有のピクセルが変調されて左目用画像と右目用画像のそれぞれの一部を、適宜、同時に及び／又は互いに連動して、形成することにより行うことができる。
【０００６】
本明細書において、要素は、１又は複数の機能を行う「ように構成される」として、もしくは、そのような機能「のために構成される」として記載され得る。一般に、機能を行うように構成される、もしくは、機能を行うために構成される要素は、その機能を行えるようにされているか、もしくはその機能を行うのに適しているか、もしくはその機能を行うように適合されているか、もしくはその機能を行うように操作可能であるか、さもなければその機能を行うことが可能である。
【０００７】
本明細書の目的のために、ことが理解される。「Ｘ、Ｙ、及びＺの少なくとも１つ」及び「Ｘ、Ｙ、及びＺのうち１以上」という表現は、Ｘのみ、Ｙのみ、Ｚのみ、ならびにＸ、Ｙ、及びＺのうちの２つ以上の任意の組み合わせ（例えば、ＸＹＺ、ＸＹＹ、ＹＺ、ＺＺ等）として解釈できる。同様の論理が、「〜の少なくとも１つ」及び「〜のうち１以上」という表現のあらゆる発現における２以上の項目に適用できる。
【０００８】
本明細書の第１の側面は、システムであって、励起された際に、第１の原色の組を含む光を放射するように構成される第１の材料の組と、励起された際に、第２の原色の組を含む更なる光を放射するように構成される第２の材料の組であって、前記第１の原色の組と前記第２の原色の組は互いに対応し合い、前記第１の原色の組と前記第２の原色の組とにおける所定の原色の波長がそれぞれ異なる、第２の材料の組と、前記第１の材料の組と前記第２の材料の組とに励起波長を照射して前記第１の原色の組と前記第２の原色の組とが放射されるようにする１以上の光源と、前記第１の原色の組と前記第２の原色の組とによる照射のために配置された光変調器であって、前記第１の原色の組から第１の画像を形成し、前記第２の原色の組から第２の画像を形成するように構成される光変調器と、を含むシステムを提供する。
【０００９】
前記１以上の光源は、前記第１の材料の組に前記励起波長を照射するように構成される第１の光源と、前記第２の材料の組に前記励起波長を照射するように構成される第２の光源とを含み、前記第１の光源が前記第２の光源と異なってよい、もしくは、前記第１の光源が前記第２の光源を含んでよい。システムは、前記第１の光源と前記第２の光源とを制御して前記第１の材料の組と前記第２の材料の組とを交互に照射し、かつ、前記光変調器を、前記第１の光源と前記第２の光源と同期して、前記第１の原色の組によって照明された時に前記第１の画像を形成し、前記第２の原色の組によって照明された時に前記第２の画像を形成するように構成される計算装置を更に含んでよい。
【００１０】
前記第１の画像は、左目用画像と右目用画像とのうちの一方を含んでよく、前記第２の画像は、前記左目用画像と前記右目用画像とのうちの他方を含んでよい。
【００１１】
システムは、前記第１の原色の組を透過し、前記第２の原色の組を遮断するように構成される第１のレンズと、前記第２の原色の組を透過し、前記第１の原色の組を遮断するように構成される第２のレンズと、を含む１以上の眼鏡を更に含んでよく、前記第１のレンズは、左目用レンズと右目用レンズとのうちの一方を含み、前記第２のレンズは、前記左目用レンズと前記右目用レンズとのうちの他方を含む。前記第１のレンズと前記第２のレンズとは、それぞれの波長をフィルタするように構成されるダイクロイックフィルタをそれぞれ含んでよい。
【００１２】
前記第１の材料の組は、第１の原色を放射するように構成される第１の材料のサブセットと、第２の原色を放射するように構成される第２の材料のサブセットと、第３の原色を放射するように構成される第３の材料のサブセットと、を含んでよく、前記第２の材料の組は、第１のそれぞれの原色を放射するように構成される第１のそれぞれの材料のサブセットと、第２のそれぞれの原色を放射するように構成される第２のそれぞれの材料のサブセットと、第３のそれぞれの原色を放射するように構成される第３のそれぞれの材料のサブセットと、を含んでよい。前記光変調器は、前記第１の原色と前記第１のそれぞれの原色とを変調して、前記第１の画像と前記第２の画像のそれぞれの第１のサブ画像を形成するための第１のピクセルのサブセットと、前記第２の原色と前記第２のそれぞれの原色とを変調して、前記第１の画像と前記第２の画像のそれぞれの第２のサブ画像を形成するための第２のピクセルのサブセットと、前記第３の原色と前記第３のそれぞれの原色とを変調して、前記第１の画像と前記第２の画像のそれぞれの第３のサブ画像を形成するための第３のピクセルのサブセットと、を含んでよい。前記１以上の光源は、前記第１の材料のサブセットと前記第２の材料のサブセットとを照射するように構成される１以上の第１の光源と、前記第３の材料のサブセットを照射するように構成される第２の光源と、前記第１のそれぞれの材料のサブセットと前記第２のそれぞれの材料のサブセットとを照射するように構成される１以上の第３の光源と、前記第３のそれぞれの材料のサブセットを照射するように構成される第４の光源と、を含み、前記１以上の第１の光源と、前記第２の光源と、前記１以上の第３の光源と、前記第４の光源と、のそれぞれが互いに独立して操作可能である。システムは、以下を行うように構成される計算装置を更に含んでよい：前記１以上の光源を、以下を交互に行うよう制御する：前記１以上の第１の光源を、前記第１の材料のサブセットと前記第２の材料のサブセットとに照射し、かつ、前記第４の光源を、前記第３のそれぞれの材料のサブセットに照射して、前記第１の材料の組から前記第１の原色と前記第２の原色とを発色し、前記第２の材料の組から前記第３のそれぞれの原色を発色すること；及び前記１以上の第３の光源を、前記第１のそれぞれの材料のサブセットと前記第２のそれぞれの材料のサブセットに照射し、かつ、前記第２の光源を、前記第３の材料のサブセットに照射し、前記第２の材料の組から前記第１のそれぞれの原色と前記第２のそれぞれの原色とを発色し、前記第１の材料の組から前記第３の原色を発色すること、ならびに、前記光変調器を１以上の光源と同期して、以下を交互に行う：前記光変調器が、前記第１の材料の組からの前記第１の原色と前記第２の原色、及び前記第２の材料の組からの前記第３のそれぞれの原色によって照明されたとき、前記第１のピクセルのサブセットを変調して前記第１の画像の第１のサブ画像を形成し、前記第２のピクセルのサブセットを変調して前記第１の画像の第２のサブ画像を形成し、かつ、前記第３のピクセルのサブセットを変調して前記第２の画像の第３のそれぞれのサブ画像を形成すること；及び前記光変調器が、前記第２の材料の組からの前記第１のそれぞれの原色と前記第２のそれぞれの原色、及び前記第１の材料の組からの前記第３の原色によって照明されたとき、前記第１のピクセルのサブセットを変調して、前記第２の画像のそれぞれの第１のサブ画像を形成し、前記第２のピクセルのサブセットを変調して前記第２の画像のそれぞれの第２のサブ画像を形成し、前記第３のピクセルのサブセットを変調して、前記第１の画像の第３のサブ画像を形成すること。
【００１３】
前記１以上の光源は、前記第１の原色の組と前記第２の原色の組とにおける各色と一対一関係にある複数の光源を含んでよい。
【００１４】
前記第１の原色の組は、第１の赤と、第１の緑と、第１の青とを含み、前記第２の原色の組は、前記第１の赤とは異なる第２の赤と、前記第１の緑とは異なる第２の緑と、前記第１の青とは異なる第２の青と、を含んでよい。
【００１５】
前記光変調器は、デジタルマイクロミラーデバイス（ＤＭＤ）を含んでよく、システムは、ＤＭＤから反射して前記第１の画像と前記第２の画像とを形成するように前記第１の原色の組と前記第２の原色の組とを伝達するように構成される光学系を更に含んでよい。
【００１６】
前記光変調器は、液晶装置（ＬＣＤ）を含んでよく、システムは、ＬＣＤを透過して前記第１の画像と前記第２の画像とを形成するように前記第１の原色の組と前記第２の原色の組とを伝達するように構成される光学系を更に含んでよい。
【００１７】
前記１以上の光源は、発光ダイオード、青色発光ダイオード、レーザー、青色発光レーザー、並びに前記第１の原色及び前記第２の原色のそれぞれの波長よりも短い波長の光を放射する光源のいずれか１以上を含んでよい。
【００１８】
前記第１の材料の組と前記第２の材料の組のそれぞれは、一の波長を吸収して別の波長を放射する１以上の波長変換材料、量子ドット、及びナノ結晶のいずれか１以上を含んでよい。
【図面の簡単な説明】
【００１９】
本明細書に記載の多様な実装のより良い理解のために、また、それらがどのように実施されるかをより明確に示すために、例示のみを目的として、ここで添付の図面が参照される。
【００２０】
【図１】非限定的な実装による、立体画像を形成するシステムの模式的ブロック図である。
【図２】非限定的な実装による、図１のシステムの量子ドット及び光源によって放射される光の、強度対波長のグラフである。
【図３】作動中の、非限定的な実装による図１のシステムを示す図である。
【図４】非限定的な実装による図１のシステムのユーザー中心型模式図である。
【図５】非限定的な実装による図１のシステムのユーザー中心型模式図の、眼鏡の第１のレンズの透過プロファイルを示す図である。
【図６】非限定的な実装による図１のシステムのユーザー中心型模式図の、眼鏡の第２のレンズの透過プロファイルを示す図である。
【図７】非限定的な実装による、立体画像を形成する代替的システムの模式的ブロック図である。
【図８】非限定的な実装による図７のシステムの光変調器の詳細を示す図である。
【図９】第１のモードで作動中の、非限定的な実装による図７のシステムを示す図である。
【図１０】第２のモードで作動中の、非限定的な実装による図７のシステムを示す図である。
【図１１】非限定的な実装による図７のシステムのユーザー中心型模式図である。
【発明を実施するための形態】
【００２１】
図１は、励起された際に第１の原色の組を含む光を放射するように構成される第１の量子ドットの組１０１−１、１０１−２、１０１−３と、励起された際に第２の原色の組を含む更なる光を放射するように構成される第２の量子ドットの組１０２−１、１０２−２、１０２−３とを含むシステム１００を図示し、以下に詳述する通り、第１の原色の組と第２の原色の組とは互いに対応し、第１の原色の組と第２の原色の組とのそれぞれにおける所定の原色のそれぞれの波長が互いに異なる。ただし、第１の量子ドットの組１０１−１、１０１−２、１０１−３と第２の量子ドットの組１０２−１、１０２−２、１０２−３のうちの１以上は、一の波長を吸収して別の波長を放射する任意の１以上の波長変換材料、これは発光ナノ結晶を含むがこれに限定されない、と置き換えられてよいことが了解される。したがって、本明細書は、励起された際に原色のそれぞれの組を含む光を放射するように構成される量子ドット等を参照するが、そのような参照のいずれも、励起された際に原色のそれぞれの組を含む光を放射するように構成される材料と置き換えられてよい。
【００２２】
システム３００は、第１の量子ドットの組１０１−１、１０１−２、１０１−３及び第２の量子ドットの組１０２−１、１０２−２、１０２−３に励起波長を照射して、第１の原色の組と第２の原色の組とが放射されるように構成される１以上の光源１０３−１、１０３−２と、第１の原色の組と第２の原色の組による照射用に配置される光変調器１０５とを備え、以下に詳述する通り、光変調器１０５は、第１の原色の組からの第１の画像、及び第２の原色の組からの第２の画像を形成するように構成される。図示される通り、システム１００は、１以上の光源１０３−１、１０３−２及び光変調器１０５と連絡する計算装置１１０を更に含み、以下に詳述する通り、計算装置１１０は、１以上の光源１０３−１、１０３−２及び光変調器１０５を制御するように構成される。
【００２３】
第１の量子ドットの組１０１−１、１０１−２、１０１−３は、以下において相互交換可能に、集合的に量子ドット１０１として、及び総称的に量子ドット１０１として参照される。同様に、第２の量子ドットの組１０２−１、１０２−２、１０２−３は、以下において相互交換可能に、集合的に量子ドット１０２として、及び総称的に量子ドット１０２として参照される。１以上の光源１０３−１、１０３−２は、以下において相互交換可能に、集合的に光源１０３として、及び総称的に光源１０３として参照される。
【００２４】
第１の量子ドットの組１０１は通常、第１の原色を放射するように構成される第１の量子ドットのサブセット１０１−１と、第２の原色を放射するように構成される第２の量子ドットのサブセット１０１−２と、第３の原色を放射するように構成される第３の量子ドットのサブセット１０１−３と、を含む。同様に、第２の量子ドットの組１０２は、第１のそれぞれの原色を放射するように構成される第１のそれぞれの量子ドットのサブセット１０２−１と、第２のそれぞれの原色を放射するように構成される第２のそれぞれの量子ドットのサブセット１０２−２と、第３のそれぞれの原色を放射するように構成される第３のそれぞれの量子ドットのサブセット１０２−３と、を含む。ここでは、量子ドットの組１０２−１、１０２−２の各々について３つのそれぞれの量子ドットのサブセットが記載されるが、他の実装においては、例えば、３原色ではなく４色（又はそれ以上）の原色を用いるシステムにおいては、３を超える量子ドットのサブセットを用いることができる。
【００２５】
すなわち、量子ドットの組１０１、１０２の各々は、原色、例えば赤、緑、青の光を、わずかに異なる波長で、放射するように構成されるそれぞれの量子ドットを含む。例えば、以下に詳述する通り、各量子ドット１０１−１、１０２−１は、青色光をわずかに異なる波長で放射するように構成されることができ、各量子ドット１０１−２、１０２−２は、緑色光をわずかに異なる波長で放射するように構成されることができ、各量子ドット１０１−３、１０２−３は、赤色光をわずかに異なる波長で放射するように構成されることができる。
【００２６】
図示される実装において、１以上の光源１０３は、第１の量子ドットの組１０１に励起波長を照射するように構成される第１の光源１０３−１、したがって光源１０３−１と第１の量子ドットの組１０１は点線でグループ化されて図示される、及び、第２の量子ドットの組１０２に励起波長を照射するように構成される第２の光源１０３−２、したがって光源１０３−２と第２の量子ドットの組１０２はそれぞれの点線でグループ化されて図示される、を含む。つまり、光源１０３−１は、量子ドット１０１に励起波長を照射するよう、位置する、及び／又は配置される、及び／又は構成され、光源１０３−２は、量子ドット１０２に励起波長を照射するよう、位置する、及び／又は配置される。
【００２７】
しかしながら、他の実装において、システム１００は一の光源１０３と、計算装置１１０によって制御されて、照射する量子ドット１０１と量子ドット１０２との間の一の光源によって放射される励起波長を切り替えるミラー装置等を含むことができる。
【００２８】
それに替えて、１以上の光源１０３は、量子ドットのサブセット１０１−１、１０１−２、１０１−３、１０２−１、１０２−２、１０２−３のそれぞれを、例えば一対一関係で照射するための１以上の光源を含むことができる。それに替えて、１以上の光源１０３は、量子ドットのサブセット１０１−１、１０１−２、１０１−３、１０２−１、１０２−２、１０２−３のうち２つ以上を照射するための１以上の光源と、量子ドットのサブセット１０１−１、１０１−２、１０１−３、１０２−１、１０２−２、１０２−３のうち残りのものを照射するための更なる光源と、を含むことができる。
【００２９】
光源１０３の各々は、量子ドット１０１、１０２によって放射される波長よりも短いかそれに等しい光を放射するように構成される発光ダイオード（ＬＥＤ）、及び／又は青色ＬＥＤ、及び／又は量子ドット１０１、１０２によって放射される波長よりも短いかそれに等しい光を放射するように構成されるレーザー、及び／又は青色レーザー、及び第１の原色及び第２の原色のそれぞれの波長より短い波長の光を放射する光源のうち１以上を含むことができる。
【００３０】
光変調器１０５は、デジタルマイクロミラーデバイス（ＤＭＤ）を含んでよく、これらの実装において、システム１００は、ＤＭＤから反射して第１の画像と第２の画像とを形成するように第１の原色の組と第２の原色の組とを伝達するように構成される光学系（図示せず）を更に含む。これらの実装において、システム１００は、第１の画像と第２の画像をスクリーン上に投影する投影光学系を更に含んでよく、このような実装はスクリーンも含んでよい。
【００３１】
それに替えて、光変調器１０５は、液晶装置（ＬＣＤ）を含んでよく、これらの実装においてシステムは、ＬＣＤを透過して第１の画像と第２の画像とを形成するように第１の原色の組と第２の原色の組とを伝達するように構成される光学系（図示せず）を更に含んでよい。例えば、光学系は、ＬＣＤの背後に位置する光ディフューザーを含んでよく、量子ドット１０１、１０２は、光ディフューザーの端部に位置してよい。
【００３２】
計算装置１１０は、プロセッサ１２０、メモリ１２２、及び別法として通信インターフェース及び／又は入力装置（図示せず）を含んでよく、メモリ１２２は画像データ１４０を格納し、画像データ１４０は通常、画像変調装置１０５のピクセルによって形成され得る画像を含む。メモリ１２２は、プロセッサ１２０によって処理された際にプロセッサ１２０が、以下に詳述する通り、第１の光源１０３−１及び第２の光源１０３−２を制御して、第１の量子ドットの組１０１と第２の量子ドットの組１０２を交互に照射すること；及び、光変調器１０５を第１の光源１０３−１と第２の光源１０３−２と同期して、第１の原色の組によって照明された際に第１の画像を形成し、第２の原色の組によって照明された際に第２の画像を形成すること、を行えるようにするアプリケーション１４５を更に格納する。
【００３３】
更に、アプリケーション１４５を格納するメモリ１２２は、方法を実装するために実行されるよう適合されたコンピュータ読み取り可能なプログラムコード、例えばアプリケーション１４５に格納された方法、を有する非一時的コンピュータ使用可能媒体を含むコンピュータプログラム製品の一例である。
【００３４】
次に、任意単位の強度対量子ドット１０１、１０２ならびに光源１０３によって放射された光の波長のグラフ２００を示す図２を参照する。グラフ２００中のスペクトルの強度はいずれもほぼ同じように示されているが、各スペクトルは異なる相対強度であってよく、グラフ２００は各スペクトルの相対的波長位置を示すように提供される。更に、グラフ２００の各スペクトルは相対的波長位置に位置しているものの、各スペクトルの正確な位置は縮尺通りではない。また、グラフ２００は、約３８０ｎｍ〜約７５０ｎｍ、及び／又は、ヒト及び／又は平均的なヒトにとって可視である波長の範囲にわたる。
【００３５】
量子ドット１０１は、波長（λＳ１、λＭ１、λＬ１）の光を放射するように構成及び／又は選択され、量子ドット１０２は波長（λＳ２、λＭ２、λＬ２）の光を放射するように構成及び／又は選択される。例えば、量子ドット１０１−１は波長λＳ１を放射するように選択されてよく、量子ドット１０２−１はλＳ１とは異なる波長λＳ２を放射するように選択されてよく、量子ドット１０１−２は波長λＭ１を放射するように選択されてよく、量子ドット１０２−２はλＭ１とは異なる波長λＭ２を放射するように選択されてよく、量子ドット１０１−３は波長λＬ１を放射するように選択されてよく、量子ドット１０２−３はλＬ１とは異なる波長λＬ２を放射するように選択されてよい。
【００３６】
波長λＳ１、λＭ１、λＬ１、λＳ２、λＭ２、λＬ２のそれぞれは、赤、緑、青を含むがこれらに限定されないそれぞれの原色となるように選択される。具体的には、図示される通り、λＳ１、λＳ２は青となるように選択され、λＭ１、λＭ２は緑となるよう選択され、λＬ１、λＬ２は赤となるように選択される（例えば、λＳ１、λＳ２はそれぞれ、λＬ１、λＬ２よりもそれぞれ短いλＭ１、λＭ２よりも短いことから、「Ｓ」は短い（ｓｈｏｒｔ）、「Ｍ」は中間（ｍｅｄｉｕｍ）、「Ｌ」は長い（ｌｏｎｇ）を表す）。
【００３７】
しかしながらλＳ１、λＳ２は異なる青となるように選択され、λＭ１、λＭ２は異なる緑となるよう選択され、λＬ１、λＬ２は異なる赤となるよう選択される。つまり、λＳ１、λＳ２の各々はいずれも青であるが、λＳ１はλＳ２とは等しくない；同様に、λＭ１、λＭ２の各々はいずれも緑であるが、λＭ１はλＭ２とは等しくない；及び、λＬ１、λＬ２の各々はいずれも赤であるが、λＬ１はλＬ２とは等しくない。しかしながら、青、緑、赤のスペクトルにおける波長の各対は、一般に人間の目、及び／又は平均的な人間の目、では判別できないが、それらの帯域幅が重複しないよう更に選択される。つまり、量子ドット１０１、１０２の各組は、わずかに異なる原色の組を放射する。
【００３８】
実際に、量子ドットは、励起された際にそこから放射される光が、狭い帯域幅を有するように調整可能である。したがって量子ドットは、システム１００において、例えばその色は人間の目では通常区別不可能であるが、図４〜６を参照して後述するとおり光学フィルタを用いてフィルタ可能であるような、３Ｄシステムにおける左目用画像と右目用画像を形成するための波長（λＳ１、λＭ１、λＬ１）及び波長（λＳ２、λＭ２、λＬ２）から異なる画像が画像変調装置１０５によって形成可能となるように用いられる。
【００３９】
光源１０３は各々、励起波長λＸの光を放射する。励起波長λＸは通常、波長λＳ１、λＭ１、λＬ１、λＳ２、λＭ２、λＬ２よりも短く、及び／又は波長λＳ１、λＳ２と同様である。
【００４０】
したがって、励起波長λＸは紫から青の範囲内、及び／又は、波長λＳ１、λＳ２よりも短いかほぼ等しくてよい。光源１０３の各々は、波長λＳ１、λＳ２のうち短い方よりも短いかそれに等しい光を放射するように構成される発光ダイオード（ＬＥＤ）、及び／又は青色ＬＥＤ、及び／又は波長λＳ１、λＳ２のうち短い方よりも短いかそれに等しい光を放射するように構成されるレーザー、及び／又は青色レーザー、のうち１以上を含んでよい。つまり、量子ドット１０１、１０２の各々は、波長λＸをそれぞれの波長（λＳ１、λＭ１、λＬ１）、（λＳ２、λＭ２、λＬ２）へとダウンコンバートする。
【００４１】
以下、波長（λＳ１、λＭ１、λＬ１）は、第１の原色の組（λＳ１、λＭ１、λＬ１）及び／又は原色（λＳ１、λＭ１、λＬ１）として相互交換可能に参照され、波長（λＳ２、λＭ２、λＬ２）は、第２の原色の組（λＳ２、λＭ２、λＬ２）及び／又は原色（λＳ２、λＭ２、λＬ２）として相互交換可能に参照される。
【００４２】
例えば、引き続いて、図１と略同様であり、同様の要素が同様の番号を有する図３を参照する。図３は、作動中のシステム１００を図示する。具体的には、計算装置１１０は、第１の光源１０３−１と第２の光源１０３−２とを制御して第１の量子ドットの組１０１と第２の量子ドットの組１０２とを交互に照射し、かつ、光変調器１０５を、第１の光源１０３−１と前記第２の光源１０３−２と同期して、第１の原色の組（λＳ１，λＭ１，λＬ１）によって照明された時に第１の画像３０１を形成し、第２の原色の組（λＳ２，λＭ２，λＬ２）によって照明された時に第２の画像３０２を形成するように構成される。このようにして光源１０３及び光変調器１０５を制御する計算装置１１０は、画像データ１４０及びアプリケーション１４５を処理するプロセッサ１２０を通じて実現されてよい。第１の画像３０１及び第２の画像３０２は各々、複数のそれぞれの画像を含んでよく、更に、第１の画像３０１及び第２の画像３０２は各々、画像データ１４０に格納されているデータに対応する。
【００４３】
図３では、光源１０３−１、１０３−２によって同時にそれぞれが照明される量子ドット１０１、１０２と、光変調器１０５によって同時に形成される画像３０１、３０２を図示するが、実際には、計算装置１１０は、まず光源１０３−１を制御して量子ドット１０１を励起（ｔｕｒｎ  ｏｎ）及び／又は照射し、画像変調装置１０５のピクセルを制御して第１の原色の組（λＳ１，λＭ１，λＬ１）を第１の画像３０１へと変調する；その後計算装置１１０は光源１０３−１をオフにする／又は量子ドット１０１の照射を遮断し、続いて光源１０３−２を制御して量子ドット１０２を励起及び／又は照射し、画像変調装置１０５のピクセルを制御して第２の原色の組（λＳ２，λＭ２，λＬ２）を第２の画像３０２へと変調する。計算装置１１０はシステム１００を制御してこれら２つの構成を交互に行い、第１の原色の組（λＳ１，λＭ１，λＬ１）を含む第１の画像３０１と、第２の原色の組（λＳ２，λＭ２，λＬ２）を含む第２の画像３０２とを交互に形成する。
【００４４】
更に、一部の実装においては、量子ドット１０１−１、１０１−２、１０１−３、１０２−１、１０２−３、１０２−３の各々は、波長（λＳ１、λＭ１、λＬ１）、（λＳ２、λＭ２、λＬ２）の各々を順次形成するために順次照明され、光変調器１０５のピクセルは、第１の画像３０１及び第２の画像３０２の、対応するそれぞれの青、緑、及び赤のサブ画像を、個別のサブ画像としてではなく第１の画像３０１と第２の画像３０２として人間の目によって知覚されるような速度で、順次形成するために制御される。例えば、この速度は約２０Ｈｚ〜約２４０Ｈｚ超の範囲内であってよい。
【００４５】
次に、システム１００のユーザー中心型模式図を図示する図４を参照する。図４において、量子ドット１０１、１０２及び光源１０３は図示されないものの、存在するものとして理解される。図４は、第１の原色の組（λＳ１，λＭ１，λＬ１）と第２の原色の組（λＳ２，λＭ２，λＬ２）をそれぞれ含む、光変調器１０５によって交互に形成されユーザー４０１によって観察される画像３０１、３０２のシーケンスを具体的に図示する。
【００４６】
図４に図示される通り、システム１００は、第１の原色の組（λＳ１，λＭ１，λＬ１）を透過し、第２の原色の組（λＳ２，λＭ２，λＬ２）を遮断するように構成される第１のレンズ４０５−１と、第２の原色の組（λＳ２，λＭ２，λＬ２）を透過し、第１の原色の組（λＳ１，λＭ１，λＬ１）を遮断するように構成される第２のレンズ４０５−２を含む１対以上の眼鏡４０３を更に含んでよく、第１のレンズ４０５−１は左目用レンズ及び右目用レンズのいずれか一方（図示では左目用レンズ）を含み、第２のレンズ４０５−２は左目用レンズ及び右目用レンズの他方（図示では右目用レンズ）を含む。
【００４７】
同様に、（複数の）第１の画像３０１は、左目用画像と右目用画像のいずれか一方を含み、（複数の）第２の画像３０２は、左目用画像と右目用画像の他方を含む。したがって、ユーザー４０１は第１のレンズ４０５−１を通じて画像３０１（例えば左目用画像）を見て、第２のレンズ４０５−２を通じて画像３０２（例えば右目用画像）を見る。画像３０１、３０２は立体画像の対を含み、ユーザー４０１は画像３０１、３０２を三次元画像として体験する。
【００４８】
一部の実装において、第１のレンズ４０５−１及び第２のレンズ４０５−２の各々は、それぞれの波長をフィルタするよう各々構成されるダイクロイックフィルタをそれぞれ含んでよい。例えば、第１のレンズ４０５−１が第１の原色の組（λＳ１，λＭ１，λＬ１）を透過し、第２の原色の組（λＳ２，λＭ２，λＬ２）を遮断するように構成されている実装において、図２に図示したものと同じ波長範囲の波長の関数としての第１のレンズ４０５−１の透過プロファイル５０１を示す図５を参照する：具体的には、第１のレンズ４０５−１のダイクロイックフィルタ（ｄｉｃｈｒｏｉｃｓ）が、波長（λＳ１、λＭ１、λＬ１）を透過して波長（λＳ２，λＭ２，λＬ２）を遮断するように構成される狭帯域透過フィルタを含む。特定の波長に合わせて調整された吸収フィルタはダイクロイックフィルタに比べて効率が低くなり得るものの、別法として、ダイクロイックフィルタの代わりに吸収フィルタを用いることができる。
【００４９】
同様に、第２のレンズ４０５−２が第２の原色の組（λＳ２，λＭ２，λＬ２）を透過し、第１の原色の組（λＳ１，λＭ１，λＬ１）を遮断するように構成されている実装において、図２に図示したものと同じ波長範囲の波長の関数としての第２のレンズ４０５−２の透過プロファイル６０１を示す図６を参照する：具体的には、第２のレンズ４０５−２のダイクロイックフィルタ（ｄｉｃｈｒｏｉｃｓ）が、波長（λＳ２，λＭ２，λＬ２）を透過して波長（λＳ１、λＭ１、λＬ１）を遮断するように構成される狭帯域透過フィルタを含む。
【００５０】
図５と６を比較すると、第１のレンズ４０５−１と第２のレンズ４０５−２が補完的な透過プロファイルを有することで両者間のクロストークを最小限にしていることが明白である。このようにして、三次元画像がユーザー４０１によって見られる。
【００５１】
次に、システム１００と略同様であり、同様の要素が同様の番号を有する、ただし番号が「１」ではなく「７」で始まる、システム７００を図示する図７を参照する。したがって、システム７００は、励起された際に第１の原色の組を含む光を放射するように構成される第１の量子ドットの組７０１−１、７０１−２、７０１−３と、励起された際に第２の原色の組を含む更なる光を放射するように構成される第２の量子ドットの組７０２−１、７０２−２、７０２−３であって、ここで、以下に詳述する通り、第１の原色の組と第２の原色の組とは互いに対応し、第１の原色の組と第２の原色の組とのそれぞれにおける所定の原色のそれぞれの波長が互いに異なる、第２の量子ドットの組７０２−１、７０２−２、７０２−３と、第１の量子ドットの組７０１−１，７０１−２，７０１−３と第２の量子ドットの組７０２−１，７０２−２，７０２−３に励起波長を照射して、第１の原色の組と第２の原色の組とが放射されるように構成される１以上の光源７０３−１ａ、７０３−１ｂ、７０３−１ｃ，７０３−２ａ，７０３−２ｂ，７０３−２ｃと、第１の原色の組と第２の原色の組による照射用に配置される光変調器７０５であって、以下に詳述する通り、第１の原色の組からの第１の画像、及び第２の原色の組からの第２の画像を形成するように構成される光変調器７０５と、を備える。図示される通り、システム７００は、１以上の光源７０３−１ａ，７０３−１ｂ，７０３−１ｃ，７０３−２ａ，７０３−２ｂ，７０３−２ｃ及び光変調器７０５と連絡する計算装置７１０を更に含み、以下に詳述する通り、計算装置７１０は、１以上の光源７０３−１，７０３−２及び光変調器７０５を制御するように構成される。
【００５２】
第１の量子ドットの組７０１−１、７０１−２、７０１−３は、以下において相互交換可能に、集合的に量子ドット７０１として、及び総称的に量子ドット７０１として参照される。同様に、第２の量子ドットの組７０２−１、７０２−２、７０２−３は、以下において相互交換可能に、集合的に量子ドット７０２として、及び総称的に量子ドット７０２として参照される。１以上の光源７０３−１ａ，７０３−１ｂ，７０３−１ｃ，７０３−２ａ，７０３−２ｂ，７０３−２ｃは、以下において相互交換可能に、集合的に光源７０３として、及び総称的に光源７０３として参照される。
【００５３】
計算装置７１０は、プロセッサ７２０、メモリ７２２、及び別法として通信インターフェース及び／又は入力装置（図示せず）を含んでよく、メモリ７２２は画像データ７４０を格納し、画像データ７４０は通常、画像変調装置７０５のピクセルによって形成され得る画像を含む。メモリ７２２は、プロセッサ７２０によって処理された際にプロセッサ７２０が、以下に詳述する通り光源７０３及び光変調器を制御できるようにするアプリケーション７４５を更に格納する。更に、アプリケーション７４５を格納するメモリ７２２は、方法を実装するために実行されるよう適応されたコンピュータ読み取り可能なプログラムコード、例えばアプリケーション７４５に格納された方法、を有する非一時的コンピュータ使用可能媒体を含むコンピュータプログラム製品の一例である。
【００５４】
システム１００と同様に、システム７００において、第１の量子ドットの組７０１は、第１の原色を放射するように構成される第１の量子ドットのサブセット７０１−１と、第２の原色を放射するように構成される第２の量子ドットのサブセット７０１−２と、第３の原色を放射するように構成される第３の量子ドットのサブセット７０１−３と、を含む。また、第２の量子ドットの組７０２は、第１のそれぞれの原色を放射するように構成される第１のそれぞれの量子ドットのサブセット７０２−１と、第２のそれぞれの原色を放射するように構成される第２のそれぞれの量子ドットのサブセット７０２−２と、第３のそれぞれの原色を放射するように構成される第３のそれぞれの量子ドットのサブセット７０２−３と、を含む。例えば、第１の原色と第１のそれぞれの原色との各々は、上述のとおり波長λＳ１、λＳ２の青をそれぞれ含んでよい。同様に、第２の原色と第２のそれぞれの原色との各々は、上述のとおり波長λＭ１、λＭ２の緑をそれぞれ含んでよい。また、第３の原色と第３のそれぞれの原色との各々は、上述のとおり波長λＬ１、λＬ２の赤をそれぞれ含んでよい。
【００５５】
したがって、第１の原色は以下において第１の原色λＳ１として相互交換可能に参照され、第１のそれぞれの原色は以下において第１のそれぞれの原色λＳ２として相互交換可能に参照され、第２の原色は以下において第２の原色λＭ１として相互交換可能に参照され、第２のそれぞれの原色は以下において第２のそれぞれの原色λＭ２として相互交換可能に参照され、第３の原色は以下において第３の原色λＬ１として相互交換可能に参照され、第３のそれぞれの原色は以下において第３のそれぞれの原色λＬ１として相互交換可能に参照される。
【００５６】
次に、光変調器７０５を図示する図８を参照する。具体的には、光変調器７０５は以下を含む：第１の原色λＳ１と第１のそれぞれの原色λＳ２とを変調して、第１の画像と第２の画像のそれぞれの第１のサブ画像を形成するための第１のピクセルのサブセット８０１−１；第２の原色λＭ１と第２のそれぞれの原色λＭ２とを変調して、第１の画像と第２の画像のそれぞれの第２のサブ画像を形成するための第２のピクセルのサブセット８０１−２；及び、第３の原色λＬ１と第３のそれぞれの原色λＬ２とを変調して、第１の画像と第２の画像のそれぞれの第３のサブ画像を形成するための第３のピクセルのサブセット８０１−３。すなわち、第１のピクセルのサブセット８０１−１は画像データ７４０を用いて青色のサブ画像に形成可能で、第２のピクセルのサブセット８０１−２は画像データ７４０を用いて緑色のサブ画像に形成可能で、第３のピクセルのサブセット８０１−３は画像データ７４０を用いて赤色のサブ画像に形成可能である。したがって、第１のピクセルのサブセット８０１−１は青（Ｂｌｕｅ）の「Ｂ」としてもラベル付けされ、第２のピクセルのサブセット８０１−２は緑（Ｇｒｅｅｎ）の「Ｇ」としてもラベル付けされ、第３のピクセルのサブセット８０１−３は赤（Ｒｅｄ）の「Ｒ」としてもラベル付けされる。
【００５７】
ピクセルのサブセット８０１−１，８０１−２，８０１−３は以下において、相互交換可能に、集合的にサブピクセル８０１として、及び総称的にサブピクセル８０１として参照される。
【００５８】
サブピクセル８０１はグループ化されたものとして図示されるが、図示のグループ化は例示のみを目的としたものである。むしろ、ピクセルのサブセット８０１の各々は、例えばマイクロミラーやＬＣＤピクセル等として、光変調器７０５の表面に分散されている。例えば、光変調器７０５の各ピクセルは、サブピクセル８０１−１、サブピクセル８０１−２、及びサブピクセル８０１−３、すなわち青色のサブピクセル、緑色のサブピクセル、及び赤色のサブピクセルを含む。
【００５９】
図７に戻ると、１以上の光源７０３は、第１の原色の組と第２の原色の組における各色と一対一関係、及び／又は量子ドットの組７０１、７０２と一対一関係にある複数の光源７０３を含むことが明白である。つまり、図示されるとおり、量子ドットの６つの組７０１、７０２があり、量子ドットの組７０１、７０２の各々に対して１つずつ、６つの光源７０３がある。更に、量子ドットの組７０１、７０２の特定の組は、励起されて、関連付けられた光源７０３をアクティベート及び／又はオンにすることにより関連付けられた原色を放射することが可能である。
【００６０】
例えば、図７とほぼ同様であり、同様の要素が同様の番号を有する図９を参照すると、量子ドット７０１−１、７０１−３は、それぞれの光源７０３−１ａ、７０３−１ｃをオンにすることにより励起されることができ、量子ドット７０２−２は、それぞれの光源７０３−２ｂをオンにすることにより励起されることができる。したがって、量子ドット７０１−１、７０１−３は励起され、量子ドット７０２−２を励起して補原色（ｃｏｍｐｌｉｍｅｎｔａｒｙ  ｐｒｉｍａｒｙ  ｃｏｌｏｕｒ）λＭ２を放射することと連動して、原色λＳ１、λＬ１を放射することができる。つまり、量子ドット７０１−１、７０１−３が青色及び赤色光をそれぞれ放射するとき、量子ドット７０２−２は、補完的な緑色光、ただし第２の原色の組（λＳ２，λＭ２，λＬ２）における波長λＭ２、を放射できる。波長（λＳ１、λＭ２、λＬ１）は、光変調器７０５によって、原色（λＳ１，λＬ１）を例えば左目用画像のサブ画像９０１へと変調するピクセル８０１−１、８０１−３と、補原色λＭ２を例えば右目用画像のサブ画像９０２へと変調するピクセル８０１−２と、を有するサブ画像９０１，９０２へと変調されてよい。
【００６１】
したがって、光変調器７０５は、左目用画像の青色のサブ画像と赤色のサブ画像を形成でき（すなわち、サブ画像９０１は、左目用画像の青色のサブ画像と赤色のサブ画像との組み合わせを含む）、それと連動して、右目用画像の緑色のサブ画像を形成する（すなわちサブ画像９０２は右目用画像の緑色のサブ画像を含む）。
【００６２】
同様に、図７とほぼ同様であり、同様の要素が同様の番号を有する図１０を参照すると、量子ドット７０２−１，７０２−３は、それぞれの光源７０３−１ａ，７０３−１ｃをオンにすることにより励起されることができ、量子ドット７０１−２は、それぞれの光源７０３−１ｂをオンにすることにより励起されることができる。したがって、量子ドット７０１−２は励起され、量子ドット７０２−１，７０２−３を励起して原色λＳ２，λＬ２を放射することと連動して、補原色λＭ１を放射することができる。したがって、量子ドット７０２−１，７０２−３は励起され、量子ドット７０１−２を励起して補原色λＭ１を放射することと連動して、原色λＳ２，λＬ２を放射することができる。つまり、量子ドット７０２−１，７０２−３が青色及び赤色光をそれぞれ放射するとき、量子ドット７０１−２は補完的な緑色光、ただし第２の原色の組（λＳ１，λＭ１，λＬ１）における波長λＭ１、を放射できる。波長（λＳ２，λＭ１，λＬ２）は、光変調器７０５によって、原色（λＳ２，λＬ２）を例えば右目用画像のサブ画像１００２へと変調するピクセル８０１−１、８０１−３と、補原色λＭ１を例えば左目用画像のサブ画像１００１へと変調するピクセル８０１−２と、を有するサブ画像１００１，１００２へと変調されてよい。
【００６３】
したがって、光変調器７０５は、右目用画像の青色のサブ画像と赤色のサブ画像を形成でき（すなわち、サブ画像１００２は、右目用画像の青色のサブ画像と赤色のサブ画像との組み合わせを含む）、それと連動して、左目用画像の緑色のサブ画像を形成する（すなわちサブ画像１００１は右目用画像の緑色のサブ画像を含む）。
【００６４】
更に、計算装置７１０は、例えば画像データ７４０とアプリケーション７４５とを処理するプロセッサ７２０を通じて、システム７００を制御してこれらの２つの状態を交互に行う。例えば、次に、システム７００のユーザー中心型模式図を図示する図１１を参照する。図４では、量子ドット７０１，７０２及び光源７０３は図示されないものの、存在するものとして理解される。図１１は、光変調器１０５によって交互に形成されユーザー４０１によって見られるサブ画像９０１，９０２及び１００１，１００２のシーケンスを具体的に図示する。サブ画像９０１，９０２は、第１の原色の組のサブセット（λＳ１，λＬ１）及び第２の原色の組のサブセット（λＭ２）をそれぞれ含み、サブ画像１００１，１００２は、第２の原色の組のサブセット（λＭ１）及び第１の原色の組のサブセット（λＳ２，λＬ２）をそれぞれ含む。
【００６５】
更に、ユーザー４０１は、上述のとおり眼鏡４０３を装着している。サブ画像９０１，９０２が眼鏡を通じて見られるとき、上述のとおり、サブ画像９０１は、第１のレンズ４０５−１を通じて左目で見られ、サブ画像９０２は、第２のレンズ４０５−２を通じて右目で見られる。同様に、サブ画像１００１，１００２は、眼鏡を通じて見られ、サブ画像１００１は、第１のレンズ４０５−１を通じて左目で見られ、サブ画像１００２は、第２のレンズ４０５−２を通じて右目で見られる。ユーザーの脳はサブ画像９０１をサブ画像１００１と組み合わせて左目用画像を形成し、更に、サブ画像９０２をサブ画像１００２と組み合わせて右目用画像を形成するだろう。しかしながら、画像が見えていない期間を各目が体験するような形で左目用画像と右目用画像とを明示的に交互に形成するシステム１００とは対照的に、システム７００においては、ユーザー４０１の各目はシステム１００の２倍の速度で画像及び／又はサブ画像を受け取り、システム１００と比較して、知覚される画像のフリッカーを低減できる。
【００６６】
換言すれば、図７に戻ると、１以上の光源７０３は、量子ドットのサブセット７０１−１及び量子ドットのサブセット７０１−３を照射するように構成される１以上の第１の光源７０３−１ａ、７０３−１ｃと、量子ドットのサブセット７０１−２を照射するように構成される第２の光源７０３−１ｂと、それぞれの量子ドットのサブセット７０２−１とそれぞれの量子ドットのサブセット７０２−３とを照射するように構成される１以上の第３の光源７０３−２ａ、７０３−２ｃと、それぞれの量子ドットのサブセット７０２−２を照射するように構成される第４の光源７０３−２ｂと、を含むことが明白であり、１以上の第１の光源７０３−１ａ、７０３−１ｃ、第２の光源７０３−１ｂ、１以上の第３の光源７０３−２ａ、７０３−２ｃ、及び第４の光源７０３−２ｂの各々が互いに独立して作動可能である。
【００６７】
一部の実装において、光源７０３−１ａ、７０３−１ｃは、単一の光源として組み合わされてよく、量子ドット７０１−１，７０１−３は、単一の光源によって照射するよう配置され、これらの実装のいくつかにおいて、システム７００は、量子ドット７０１−１と７０１−３との間で光源の照射を交互に切り替えるための移動可能なミラーを含んでよい。同様に、一部の実装において、光源７０３−２ａ、７０３−２ｃは、単一の光源として組み合わされてよく、量子ドット７０２−１、７０２−３は、単一の光源によって照射するよう配置され、これらの実装のいくつかにおいて、システム７００は、量子ドット７０２−１，７０２−３との間で光源の照射を交互に切り替えるための移動可能なミラーを含んでよい。
【００６８】
一部の実装において、量子ドット７０１−１，７０１−３，７０２−２の照射は同時に行われ、量子ドット７０１，７０２と光変調器７０５との間の光学系は、それぞれの光を光変調器７０５に向けて配向してサブ画像９０１，１００１を形成するが、他の実装において、ドット７０１−１，７０１−３，７０２−２の照射は順次行われ、光変調器７０５における各サブ画像９０１，１００１は、順次形成され、それぞれの原色の放射と同期される。
【００６９】
同様に、一部の実装において、量子ドット７０１−２，７０２−１，７０２−３の照射は、同時に行われ、量子ドット７０１，７０２と光変調器７０５との間の光学系は、それぞれの光を光変調器７０５に向けて配向してサブ画像９０２，１００２を形成するが、他の実装において、ドット７０１−２，７０２−１，７０２−３の照射は、順次行われ、光変調器７０５における各サブ画像９０２，１００２は順次形成され、それぞれの原色の放射と同期される。
【００７０】
更に、図７〜１１に図示する実装において、計算装置７１０は以下を行うように構成される：１以上の光源７０３を、以下を交互に行うよう制御する：１以上の第１の光源７０３−１ａ，７０３−１ｃを、量子ドットのサブセット７０１−１と量子ドットのサブセット７０１−３とに照射し、かつ、第４の光源７０３−２ｂを、それぞれの量子ドットのサブセット７０２−２に照射して、第１の量子ドットの組７０１から原色λＳ１と原色λＬ１とを発色し、第２の量子ドットの組７０２からそれぞれの原色λＭ２を発色すること；及び、１以上の第３の光源７０３−２ａ，７０３−３ｂを、それぞれの量子ドットのサブセット７０２−１とそれぞれの量子ドットのサブセット７０２−３に照射し、かつ、第２の光源７０３−１ｂを、量子ドットのサブセット７０１−２に照射し、第２の量子ドットの組７０２からそれぞれの原色λＳ２とそれぞれの原色λＬ２とを発色し、前記第１の量子ドットの組から原色λＭ１を発色すること。
【００７１】
計算装置７１０は更に以下を行うように構成される：光変調器７０５を１以上の光源７０３と同期して、以下を交互に行う：光変調器７０５が、第１の量子ドットの組７０１からの原色λＳ１と原色λＭ１、及び第２の量子ドットの組７０２からのそれぞれの原色λＭ２によって照明されたとき、ピクセルのサブセット８０１−１を変調して第１の画像の第１のサブ画像を形成し、ピクセルのサブセット８０１−３を変調して第１の画像の第２のサブ画像を形成し、かつ、ピクセルのサブセット８０１−２を変調して第２の画像の第３のそれぞれのサブ画像を形成すること；及び、光変調器７０５が、第２の量子ドットの組７０２からのそれぞれの原色λＳ２とそれぞれの原色λＬ２、及び第１の量子ドットの組７０１からの原色λＭ１によって照明されたとき、ピクセルのサブセット８０１−１を変調して、第２の画像のそれぞれの第１のサブ画像を形成し、ピクセルのサブセット８０１−３を変調して第２の画像のそれぞれの第２のサブ画像を形成し、ピクセルのサブセット８０１−２を変調して、第１の画像の第３のサブ画像を形成すること。
【００７２】
本実装は、左目用画像の青色及び赤色のサブ画像を右目用画像の緑色のサブ画像に組み合わせること、及びその逆、について記載されてきたが、他の実装において、左目用画像の青色及び緑色のサブ画像を右目用画像の赤色のサブ画像に組み合わせても、その逆でもよく、もしくは、左目用画像の赤色及び緑色のサブ画像を右目用画像の青色のサブ画像に組み合わせても、その逆でもよい。
【００７３】
本実装は、量子ドット等の材料を用いて、３Ｄ観賞用の立体の左目用画像と右目用画像を交互に形成するシステムを記載しており、左目用画像と右目用画像の各々における原色は、光学フィルタを用いてフィルタ可能であるように異なっており、かつ、人間の目には色間の差異が知覚されない程度に同様である。フレームレートは、左目用画像と右目用画像の各々の補色のサブ画像を互いに連動して提供することによって操作可能である。
【００７４】
当業者であれば、一部の実装において、計算装置１１０，７１０の機能が、プログラムされたハードウェア又はファームウェア要素例えば、特定用途向け集積回路（ＡＳＩＣ）、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等）もしくはその他の関連する構成要素によって実装可能であることを理解するであろう。他の実装において、計算装置１１０，７１０の機能は、計算装置の作動のためのコンピュータ読み取り可能プログラムコードを格納するコードメモリ（図示せず）へのアクセスを有する計算装置を用いて達成できる。コンピュータ読み取り可能プログラムコードは、固定で、有形的で、かつこれらの構成要素によって読み取り可能であるコンピュータ読み取り可能記憶媒体に格納できる（例えば、リムーバブルディスケット、ＣＤ−ＲＯＭ、ＲＯＭ、固定ディスク、ＵＳＢドライブ）。更に、コンピュータ読み取り可能プログラムが、コンピュータ利用可能媒体を含むコンピュータプログラム製品として格納できることが了解される。更に、持続的記憶装置はコンピュータ読み取り可能プログラムコードを含んでよい。また、コンピュータ読み取り可能プログラムコード及び／又はコンピュータ利用可能媒体は非一時的コンピュータ読み取り可能プログラムコード及び／又は非一時的コンピュータ利用可能媒体を含んでよいことが更に了解される。それに替えて、コンピュータ読み取り可能プログラムコードはリモートで、ネットワーク（インターネットを含むがそれに限定されない）に接続されたモデム又はその他のインターフェース機器を介して、伝送媒体を通じてこれらの構成要素へと伝送可能であるように格納されてよい。伝送媒体は、非モバイル媒体（例えば、光及び／又はデジタル及び／又はアナログ通信回線）でも、モバイル媒体（例えば、高周波、マイクロ波、赤外線、自由空間光、又はその他の伝送方式）でも、これらの組み合わせであってもよい。
【００７５】
当業者であれば、更に他の可能な代替的実装及び変形が存在すること、また、上述の例は１以上の実装の例示に過ぎないことを了解するであろう。したがって、範囲は、添付の請求の範囲によってのみ限定される。
【図１】
2015186258.tif 000003
【図２】
2015186258.tif 000004
【図３】
2015186258.tif 000005
【図４】
2015186258.tif 000006
【図５】
2015186258.tif 000007
【図６】
2015186258.tif 000008
【図７】
2015186258.tif 000009
【図８】
2015186258.tif 000010
【図９】
2015186258.tif 000011
【図１０】
2015186258.tif 000012
【図１１】
2015186258.tif 000013
【外国語明細書】
2015186258000001.pdf
2015186258000002.pdf
2015186258000003.pdf
2015186258000004.pdf